(57)【要約】    【課題】      伝送遅延を小さくするとともに効率の良いシステム運営を行うこと。    【解決手段】  ＭＡＣ部１０７は、初回の送信時及び再送時の判断結果、各チャネルの送信したいデータの量を示す送信データ量情報、ＴｒＣＨ毎の優先順位及び初回および再送とで異なる優先順位の情報、及び上り回線の送信電力の情報に基づいて、所定の送信電力にて送信することができる各チャネルの送信レートの組み合わせのＴＦＣを選択する。この際にＨＡＲＱを行うＴｒＣＨでは、ＲＲＣ部１０６からは初回送信及び再送とでは異なった優先順位が同一ＴｒＣＨに指定される。そして、ＭＡＣ部１０７は、ＴｒＣＨがＨＡＲＱを行う場合には送信データを符号化部１１２へ出力し、ＴｒＣＨがＨＡＲＱの送信でない設定の場合には送信データを符号化部１０８へ出力する。  【選択図】      図１
2005311882.tif 000002
【特許請求の範囲】
【請求項１】
初回の送信時と再送時とにおける優先順位に基づいて前記初回の送信時の送信データまたは前記送信データの誤りを通信相手にて訂正するための前記再送時の再送データの送信レートをチャネル毎に可変にて設定する送信レート設定手段と、
前記送信レート設定手段にて設定された送信レートの前記送信データまたは前記再送データをチャネル間で合成して合成送信データを生成する合成手段と、
前記合成手段にて生成された前記合成送信データを送信する送信手段と、
を具備することを特徴とする通信端末装置。
【請求項２】
前記送信レート設定手段は、チャネル毎の優先順位に基づいて各チャネルの前記送信データまたは前記再送データの送信レートを可変にて設定することを特徴とする請求項１記載の通信端末装置。
【請求項３】
前記送信レート設定手段は、チャネル毎に複数の送信レートを設定するとともに設定した送信レートをチャネル毎に一つ選択して各々組み合わせた送信レートの情報である送信レート情報を保存したテーブルを備え、前記通信相手より通知された前記チャネル毎の優先順位の情報を用いて前記送信レート情報を参照して、前記優先順位が低いチャネルほど送信レートが低くなるような送信レートの組み合わせを選択して送信レートを設定することを特徴とする請求項２記載の通信端末装置。
【請求項４】
前記送信レート設定手段は、許容される遅延時間が短い送信データを送信するチャネルほど前記優先順位が高いものとして送信レートを設定することを特徴とする請求項２または請求項３記載の通信端末装置。
【請求項５】
前記送信レート設定手段は、前記初回の送信時及び前記再送時と、優先順位とを関係付けた送信レート選択用情報を保存したテーブルを備えるとともに、前記合成送信データに前記再送データが含まれているか否かの情報を用いて、前記送信レート選択用情報を参照して前記優先順位が低い前記初回の送信時の前記送信データまたは前記再送時の前記再送データほど送信レートが低くなるように送信レートを設定することを特徴とする請求項１から請求項４のいずれかに記載の通信端末装置。
【請求項６】
前記送信レート設定手段は、前記再送データに対して再送毎に異なる送信レートを設定することを特徴とする請求項１から請求項５のいずれかに記載の通信端末装置。
【請求項７】
請求項１から請求項６のいずれかに記載の通信端末装置から送信された前記合成送信データを受信する基地局装置であって、
前記基地局装置は、
前記送信レート設定手段にて設定された各チャネルの前記送信データまたは前記再送データの送信レートの情報に基づいて前記合成送信データを各チャネルのデータに分離するチャネル分離手段と、
前記チャネル分離手段にて分離された前記データに前記再送データがある場合には先に受信したデータに対して前記再送データにより誤り訂正をして復号する復号手段と、
を具備することを特徴とする基地局装置。
【請求項８】
チャネル毎に複数の送信レートを設定するとともに設定した送信レートをチャネル毎に一つ選択して各々組み合わせた送信レートの情報でかつ前記送信レート設定手段にて送信レートを設定する際に参照する情報と同一の情報であるチャネル分離情報を保存したテーブルを備える記憶手段を具備し、
前記チャネル分離手段は、前記通信端末装置から送られてきた前記送信レート設定手段にて設定された各チャネルの送信レートの情報を用いて、前記記憶手段に記憶されている前記チャネル分離情報を参照することにより前記合成送信データを各チャネルのデータに分離することを特徴とする請求項７記載の基地局装置。
【請求項９】
初回の送信時と再送時とにおける優先順位に基づいて前記初回の送信時の送信データまたは前記送信データの誤りを通信相手にて訂正するための前記再送時の再送データの送信レートをチャネル毎に可変にて設定することを特徴とする送信レート設定方法。
【請求項１０】
前記初回の送信時及び前記再送時と、優先順位とを関係付けた送信レート選択用情報を保存したテーブルを備えるとともに、再送データを送信するか否かの情報を用いて、前記送信レート選択用情報を参照して前記優先順位が低い前記初回の送信時の前記送信データまたは前記再送時の前記再送データほど送信レートが低くなるように送信レートを設定することを特徴とする請求項９記載の送信レート設定方法。
【請求項１１】
初回の送信時と再送時とにおける優先順位に基づいて前記初回の送信時の送信データまたは前記送信データの誤りを通信相手にて訂正するための前記再送時の再送データの送信レートをチャネル毎に可変にて設定するステップと、
設定された送信レートの前記送信データまたは前記再送データをチャネル間で合成して合成送信データを生成するステップと、
生成された前記合成送信データを送信するステップと、
を具備することを特徴とする送信方法。
【請求項１２】
チャネル毎の優先順位に基づいて各チャネルの前記送信データまたは前記再送データの送信レートを可変にて設定することを特徴とする請求項１１記載の送信方法。
【請求項１３】
チャネル毎に複数の送信レートを設定するとともに設定した送信レートをチャネル毎に一つ選択して各々組み合わせた送信レートの情報である送信レート情報を保存したテーブルを備え、前記通信相手より通知された前記チャネル毎の優先順位の情報を用いて前記送信レート情報を参照して、前記優先順位が低いチャネルほど送信レートが低くなるような送信レートの組み合わせを選択して送信レートを設定することを特徴とする請求項１２記載の送信方法。
【請求項１４】
許容される遅延時間が短い送信データを送信するチャネルほど前記優先順位が高いものとして送信レートを設定することを特徴とする請求項１２または請求項１３記載の送信方法。
【請求項１５】
前記初回の送信時及び前記再送時と、優先順位とを関係付けた送信レート選択用情報を保存したテーブルを備えるとともに、前記合成送信データに前記再送データが含まれているか否かの情報を用いて、前記送信レート選択用情報を参照して前記優先順位が低い前記初回の送信時の前記送信データまたは前記再送時の前記再送データほど送信レートが低くなるように送信レートを設定することを特徴とする請求項１１から請求項１４のいずれかに記載の送信方法。
【請求項１６】
前記再送データに対して再送毎に異なる送信レートを設定することを特徴とする請求項１１から請求項１５のいずれかに記載の送信方法。
【請求項１７】
初回の送信時と再送時とにおける優先順位に基づいて前記初回の送信時の送信データまたは前記送信データの誤りを通信相手にて訂正するための前記再送時の再送データの送信レートをチャネル毎に可変にて設定するステップと、
設定された送信レートの前記送信データまたは前記再送データをチャネル間で合成して合成送信データを生成するステップと、
生成された前記合成送信データを送信するステップと、
前記合成送信データを受信するステップと、
送信側にて設定された各チャネルの前記送信データまたは前記再送データの送信レートの情報に基づいて前記合成送信データを各チャネルのデータに分離するステップと、
分離された前記データに前記再送データがある場合には先に受信したデータに対して前記再送データにより誤り訂正をして復号するステップと、
を具備することを特徴とする通信方法。
【発明の詳細な説明】
【技術分野】
【０００１】
本発明は、通信端末装置及び送信方法に関し、特に上り回線にてスケジューリングを行うシステムに適用する通信端末装置及び送信方法に関する。
【背景技術】
【０００２】
ＷＣＤＭＡ（Wideband Code Division Multiple Access）方式において下り回線でパケットデータを伝送する技術として、ＨＳＤＰＡ（High-Speed Downlink Packet Access）と呼ばれる高速パケット伝送方式が知られている。また、Uplink EnhancementまたはＨＳＵＰＡ（High-Speed Uplink Packet Access)と呼ばれる上り回線におけるパケット伝送の高速化及び低遅延化の検討が標準化団体3GPPで進められている。
【０００３】
無線通信システムの上り回線では、通信端末装置の総送信電力が最大送信電力を超えてしまう場合、いずれかのチャネルの送信を停止するかまたは伝送レートを下げる等の制御を行い、総送信電力が最大送信電力を超えないようにすることが必要となる。これを実現する方法としてトランスポートフォーマットコンビネーションセレクション(Transport Format Combination Selection：以下、「ＴＦＣ選択」という）が知られている(例えば、非特許文献１)。
【０００４】
ＴＦＣ選択では、通信端末装置が、複数のＤＣＨ（個別チャネル)でデータを多重して伝送する場合に、各ＤＣＨで送信するデータ量を示すトランスポートフォーマット（Transport Format)の組合せであるトランスポートフォーマットコンビネーション(Transport Format Combination：以下、「ＴＦＣ」と省略する)毎に総送信電力が最大送信電力を超えないか否かを判定し、送信可能なＴＦＣを選択する。
【０００５】
総送信電力は、通信端末自体の能力により制限される場合と、基地局などのネットワーク装置が一時的に通信端末の送信電力を制限する命令を通信端末に発行することで制限される場合がある。基地局などのネットワーク装置が上り回線における各通信端末装置の伝送レートまたは各通信端末装置の総送信パワを制御することにより、上り干渉量を制御することができる。ＣＤＭＡ上り回線のような同一周波数を複数の通信端末で共有する方式においては、上り干渉量がシステムの容量をきめる。そのため、上り回線において、基地局などのネットワーク装置が、伝搬条件の良い状態の通信端末装置に集中的に割り当てを行い、伝搬条件の悪い通信端末装置をなるべく割り当てないというようなスケジューリング動作を行うことにより、上り干渉量を制御でき、システムが伝搬条件の良い状態を主に使うようにすることができる。これにより、システム容量の改善が可能となる。
【非特許文献１】3GPP TS25.133 v5.9.0  section6.4 Transport format combination selection in UE
【発明の開示】
【発明が解決しようとする課題】
【０００６】
しかしながら、従来の通信端末装置及び送信方法においては、誤りが生じた場合には高品質伝送ができないという問題がある。高品質伝送を可能にするために、誤りが生じた場合には自動再送要求する方法が考えられる。
【０００７】
自動再送要求においては、送信側と受信側とを双方向の伝送路によって結び、まず送信側が情報ビットに誤り検出符号化を施して生成した符号語を含むパケットを受信側に送り、受信側において誤りの検出を行う。受信側は、受信データに誤りが検出されない場合には正しく受信した旨の受信確認信号Ａｃｋ（Positive Acknowledgment）を送信側に返送し、受信データに誤りが検出された場合には再送要求信号Ｎａｃｋ（Negative Acknowledgment）を送信側に返送する。送信側は、Ｎａｃｋを受け取ると同一のパケットを再送する。送信側は、Ａｃｋを受け取るまで同一のパケットの再送を繰り返す。しかし、自動再送要求においては、再送を繰り返すことにより伝送遅延が大きくなるとともにシステム全体の効率が悪くなるという問題がある。特に、伝播環境が悪い場合には、データの誤り率が高くなるため、再送回数が増えて伝送遅延が急激に大きくなるという問題がある。
【０００８】
また、従来の通信端末装置及び送信方法においては、基地局装置にて上り回線における送信電力が制限された通信端末装置は送信可能なデータ量が制限されるため、このような送信電力が制限された通信端末装置は送信データを効率良く送信することができないという問題がある。また，従来の通信端末装置及び送信方法においては、セル境界などに存在して，上り回線における送信電力が移動機の送信能力の限界付近にある通信端末装置は送信可能なデータ量が制限されるため、このような送信電力が制限された通信端末装置は送信データを効率良く送信することができないという問題がある。
【０００９】
本発明はかかる点に鑑みてなされたものであり、複数チャネルを伝送するシステムにおいて、伝送遅延を小さくすることができるとともに効率の良いシステム運営を行うことができる通信端末装置及び送信方法を提供することを目的とする。
【課題を解決するための手段】
【００１０】
本発明の通信端末装置は、初回の送信時と再送時とにおける優先順位に基づいて前記初回の送信時の送信データまたは前記送信データの誤りを通信相手にて訂正するための前記再送時の再送データの送信レートをチャネル毎に可変にて設定する送信レート設定手段と、前記送信レート設定手段にて設定された送信レートの前記送信データまたは前記再送データをチャネル間で合成して合成送信データを生成する合成手段と、前記合成手段にて生成された前記合成送信データを送信する送信手段と、を具備する構成を採る。
【００１１】
この構成によれば、初回の送信時と再送時とにおける優先順位に基づいて初回の送信時の送信データまたは再送時の再送データの送信レートをチャネル毎に可変にて設定するので、再送が繰り返されることによる伝送遅延を小さくすることができるとともに、各チャネルの送信レートを通信環境等により可変にて設定することができるので効率の良いシステム運営を行うことができる。
【００１２】
本発明の通信端末装置は、前記構成において、前記送信レート設定手段は、チャネル毎の優先順位に基づいて各チャネルの前記送信データまたは前記再送データの送信レートを可変にて設定する構成を採る。
【００１３】
この構成によれば、前記効果に加えて、初回の送信時または再送時における優先順位とチャネルの優先順位とに基づいて送信レートを可変にすることができるので、さらに効率の良いシステム運営を行うことができる。
【００１４】
本発明の通信端末装置は、前記構成において、前記送信レート設定手段は、チャネル毎に複数の送信レートを設定するとともに設定した送信レートをチャネル毎に一つ選択して各々組み合わせた送信レートの情報である送信レート情報を保存したテーブルを備え、前記通信相手より通知された前記チャネル毎の優先順位の情報を用いて前記送信レート情報を参照して、前記優先順位が低いチャネルほど送信レートが低くなるような送信レートの組み合わせを選択して送信レートを設定する構成を採る。
【００１５】
この構成によれば、前記効果に加えて、あらかじめ記憶しておいた通信相手と共通の送信レート情報を用いて送信レートを設定することができるので、簡単な方法にて送信レートを設定することができる。
【００１６】
本発明の通信端末装置は、前記構成において、前記送信レート設定手段は、許容される遅延時間が短い送信データを送信するチャネルほど前記優先順位が高いものとして送信レートを設定する構成を採る。
【００１７】
この構成によれば、前記効果に加えて、音声データ等の許容される遅延時間が短い送信データを送信するチャネルほど送信レートを高くすることができるので、許容される遅延時間が短い送信データの遅延時間を短縮することができる。また、例えばＦＴＰ等の許容される遅延時間が長い送信データを送信するチャネルは，システムに余裕のある時間をつかって転送することができるのでシステムとしての効率を高くすることができる。
【００１８】
本発明の通信端末装置は、前記構成において、前記送信レート設定手段は、前記初回の送信時及び前記再送時と、優先順位とを関係付けた送信レート選択用情報を保存したテーブルを備えるとともに、前記合成送信データに前記再送データが含まれているか否かの情報を用いて、前記送信レート選択用情報を参照して前記優先順位が低い前記初回の送信時の前記送信データまたは前記再送時の前記再送データほど送信レートが低くなるように送信レートを設定する構成を採る。
【００１９】
この構成によれば、前記効果に加えて、あらかじめ記憶しておいた通信相手と共通の初回の送信レート選択用情報を用いて送信レートを設定することができるので、簡単な方法にて送信レートを設定することができる。
【００２０】
本発明の通信端末装置は、前記構成において、前記送信レート設定手段は、前記再送データに対して再送毎に異なる送信レートを設定する構成を採る。
【００２１】
この構成によれば、前記効果に加えて、再送毎に異なる送信レートを設定するので、再送方式を適用するシステム全体で効率の良い運営を行うことができる。
【００２２】
本発明の基地局装置は、前記のいずれかに記載の通信端末装置から送信された前記合成送信データを受信する基地局装置であって、前記基地局装置は、前記送信レート設定手段にて設定された各チャネルの前記送信データまたは前記再送データの送信レートの情報に基づいて前記合成送信データを各チャネルのデータに分離するチャネル分離手段と、前記チャネル分離手段にて分離された前記データに前記再送データがある場合には先に受信したデータに対して前記再送データにより誤り訂正をして復号する復号手段と、を具備する構成を採る。
【００２３】
この構成によれば、通信端末装置が可変にて設定した送信レートの合成送信データを受信して復号するので、効率良く受信データを復号することができる。
【００２４】
本発明の基地局装置は、前記構成において、チャネル毎に複数の送信レートを設定するとともに設定した送信レートをチャネル毎に一つ選択して各々組み合わせた送信レートの情報でかつ前記送信レート設定手段にて送信レートを設定する際に参照する情報と同一の情報であるチャネル分離情報を保存したテーブルを備える記憶手段を具備し、前記チャネル分離手段は、前記通信端末装置から送られてきた前記送信レート設定手段にて設定された各チャネルの送信レートの情報を用いて、前記記憶手段に記憶されている前記チャネル分離情報を参照することにより前記合成送信データを各チャネルのデータに分離する構成を採る。
【００２５】
この構成によれば、前記効果に加えて、あらかじめ記憶した通信端末装置にて送信レートを設定する際に用いた情報と同じ情報であるチャネル分離情報にて受信データを分離するので、簡単な方法にて効率の良いシステム運営を行うことができる。
【００２６】
本発明の送信レート設定方法は、初回の送信時と再送時とにおける優先順位に基づいて前記初回の送信時の送信データまたは前記送信データの誤りを通信相手にて訂正するための前記再送時の再送データの送信レートをチャネル毎に可変にて設定するようにした。
【００２７】
この方法によれば、初回の送信時と再送時とにおける優先順位に基づいて初回の送信時の送信データまたは再送時の再送データの送信レートをチャネル毎に可変にて設定するので、再送が繰り返されることによる伝送遅延を小さくすることができるとともに、各チャネルの送信レートを通信環境等により可変にて設定することができるので効率の良いシステム運営を行うことができる。
【００２８】
本発明の送信レート設定方法は、前記方法において、前記初回の送信時及び前記再送時と、優先順位とを関係付けた送信レート選択用情報を保存したテーブルを備えるとともに、再送データを送信するか否かの情報を用いて、前記送信レート選択用情報を参照して前記優先順位が低い前記初回の送信時の前記送信データまたは前記再送時の前記再送データほど送信レートが低くなるように送信レートを設定するようにした。
【００２９】
この方法によれば、前記効果に加えて、あらかじめ記憶しておいた通信相手と共通の初回の送信レート選択用情報を用いて送信レートを設定することができるので、簡単な方法にて送信レートを設定することができる。
【００３０】
本発明の送信方法は、初回の送信時と再送時とにおける優先順位に基づいて前記初回の送信時の送信データまたは前記送信データの誤りを通信相手にて訂正するための前記再送時の再送データの送信レートをチャネル毎に可変にて設定するステップと、設定された送信レートの前記送信データまたは前記再送データをチャネル間で合成して合成送信データを生成するステップと、生成された前記合成送信データを送信するステップと、を具備するようにした。
【００３１】
この方法によれば、初回の送信時と再送時とにおける優先順位に基づいて初回の送信時の送信データまたは再送時の再送データの送信レートをチャネル毎に可変にて設定するので、再送が繰り返されることによる伝送遅延を小さくすることができるとともに、各チャネルの送信レートを通信環境等により可変にて設定することができるので効率の良いシステム運営を行うことができる。
【００３２】
本発明の送信方法は、前記方法において、チャネル毎の優先順位に基づいて各チャネルの前記送信データまたは前記再送データの送信レートを可変にて設定するようにした。
【００３３】
この方法によれば、前記効果に加えて、初回の送信時または再送時における優先順位とチャネルの優先順位とに基づいて送信レートを可変にすることができるので、さらに効率の良いシステム運営を行うことができる。
【００３４】
本発明の送信方法は、前記方法において、チャネル毎に複数の送信レートを設定するとともに設定した送信レートをチャネル毎に一つ選択して各々組み合わせた送信レートの情報である送信レート情報を保存したテーブルを備え、前記通信相手より通知された前記チャネル毎の優先順位の情報を用いて前記送信レート情報を参照して、前記優先順位が低いチャネルほど送信レートが低くなるような送信レートの組み合わせを選択して送信レートを設定するようにした。
【００３５】
この方法によれば、前記効果に加えて、あらかじめ記憶しておいた通信相手と共通の送信レート情報を用いて送信レートを設定することができるので、簡単な方法にて送信レートを設定することができる。
【００３６】
本発明の送信方法は、前記方法において、許容される遅延時間が短い送信データを送信するチャネルほど前記優先順位が高いものとして送信レートを設定するようにした。
【００３７】
この方法によれば、前記効果に加えて、音声データ等の許容される遅延時間が短い送信データを送信するチャネルほど送信レートを高くすることができるので、許容される遅延時間が短い送信データの遅延時間を短縮することができる。また、例えばＦＴＰなどの許容される遅延時間が長い送信データを送信するチャネルほど、システムに余裕のある時間をつかって転送することができるのでシステムとしての効率を高くすることができる。
【００３８】
本発明の送信方法は、前記方法において、前記初回の送信時及び前記再送時と、優先順位とを関係付けた送信レート選択用情報を保存したテーブルを備えるとともに、前記合成送信データに前記再送データが含まれているか否かの情報を用いて、前記送信レート選択用情報を参照して前記優先順位が低い前記初回の送信時の前記送信データまたは前記再送時の前記再送データほど送信レートが低くなるように送信レートを設定するようにした。
【００３９】
この方法によれば、前記効果に加えて、あらかじめ記憶しておいた通信相手と共通の初回の送信レート選択用情報を用いて送信レートを設定することができるので、簡単な方法にて送信レートを設定することができる。
【００４０】
本発明の送信方法は、前記方法において、前記再送データに対して再送毎に異なる送信レートを設定するようにした。
【００４１】
この方法によれば、前記効果に加えて、再送毎に異なる送信レートを設定するので、再送方式を適用するシステム全体で効率の良い運営を行うことができる。
【００４２】
本発明の通信方法は、初回の送信時と再送時とにおける優先順位に基づいて前記初回の送信時の送信データまたは前記送信データの誤りを通信相手にて訂正するための前記再送時の再送データの送信レートをチャネル毎に可変にて設定するステップと、設定された送信レートの前記送信データまたは前記再送データをチャネル間で合成して合成送信データを生成するステップと、生成された前記合成送信データを送信するステップと、前記合成送信データを受信するステップと、送信側にて設定された各チャネルの前記送信データまたは前記再送データの送信レートの情報に基づいて前記合成送信データを各チャネルのデータに分離するステップと、分離された前記データに前記再送データがある場合には先に受信したデータに対して前記再送データにより誤り訂正をして復号するステップと、を具備するようにした。
【００４３】
この方法によれば、初回の送信時と再送時とにおける優先順位に基づいて初回の送信時の送信データまたは再送時の再送データの送信レートをチャネル毎に可変にて設定するので、再送が繰り返されることによる伝送遅延を小さくすることができるとともに、各チャネルの送信レートを通信環境等により可変にて設定することができるので効率の良いシステム運営を行うことができる。
【発明の効果】
【００４４】
本発明によれば、複数チャネルを伝送するシステムにおいて、伝送遅延を小さくすることができるとともに効率の良いシステム運営を行うことができる。
【発明を実施するための最良の形態】
【００４５】
本発明の骨子は、再送方式としてＨＡＲＱを用いるとともに、初回の送信時と再送時とにおける優先順位に基づいて初回の送信時の送信データまたは送信データの誤りを通信相手にて訂正するための再送時の再送データの送信レートをチャネル毎に可変にて設定することである。
【００４６】
以下、本発明の実施の形態について、図面を参照して詳細に説明する。
【００４７】
（実施の形態）
図１は、本発明の実施の形態に係る通信端末装置１００の構成を示すブロック図である。本実施の形態においては、トランスポートチャネル（以下「ＴｒＣＨ」と記載する）１、ＴｒＣＨ２及びＴｒＣＨ３にて送信データを送信する場合について説明する。
【００４８】
アンテナ１０１は、切替部１０２から出力された送信データを後述する基地局装置へ送信し、基地局装置から送信されたデータを受信して切替部１０２へ出力する。
【００４９】
切替部１０２は、送信時において送信ＲＦ部１１９から入力した送信データをアンテナ１０１へ出力し、受信時においてアンテナ１０１から入力した受信データを受信ＲＦ部１０３へ出力する。
【００５０】
受信ＲＦ部１０３は、切替部１０２から入力した受信データを無線周波数からベースバンド周波数にダウンコンバートして逆拡散部１０４へ出力する。
【００５１】
逆拡散部１０４は、受信ＲＦ部１０３から入力した受信データを所定の拡散符号を用いて逆拡散処理して復調部１０５へ出力する。
【００５２】
復調部１０５は、逆拡散部１０４から入力した受信データを復調してＲＲＣ部１０６及びＭＡＣ部１０７へ出力する。
【００５３】
ＲＲＣ部１０６は、復調部１０５から入力した受信データより、各チャネル及びチャネル間の初回の送信時と再送時とにおける優先順位を示す情報である送信レート選択用情報、及びチャネル毎に複数の送信レートを設定するとともに設定した送信レートをチャネル毎に一つ選択して各々組み合わせた送信レートの情報であるＴＦＣ選択用情報（送信レート情報）を抽出してＭＡＣ部１０７へ出力する。
【００５４】
送信レート設定手段であるＭＡＣ部１０７は、復調部１０５から入力した受信データより、Ａｃｋ信号またはＮａｃｋ信号を抽出して初回の送信時及び再送時の判断または再送回数の判断を行う。そして、ＭＡＣ部１０７は、初回の送信時及び再送時または再送回数の判断結果、各チャネルの送信したいデータの量を示す送信データ量情報、ＲＲＣ部１０６から入力した送信レート選択用情報、ＲＲＣ部１０６から入力したＴＦＣ選択用情報、及び後述する送信ＲＦ部１１９から入力した上り回線の送信電力の測定結果の情報である送信電力情報に基づいて、許容最大送信電力以下の所定の送信電力にて送信することができる各チャネルの送信レートの組み合わせのＴＦＣを選択する。そして、ＭＡＣ部１０７は、ＴｒＣＨがＨＡＲＱを行う様に設定されていない場合は設定した送信レートの送信データを符号化部１１２へ出力し、ＴｒＣＨがＨＡＲＱを行う様に設定されている場合は設定した送信レートの送信データを符号化部１０８へ出力する。また、ＭＡＣ部１０７は、選択したＴＦＣの情報であるＴＦＣ選択情報をＴＦＣ情報生成部１１５へ出力する。さらに、ＭＡＣ部１０７は、選択したＴＦＣにおける送信レートを超えないようにＨＡＲＱ制御部１１１を制御する。なお、ＭＡＣ部１０７の詳細については後述する。
【００５５】
符号化部１０８は、ＭＡＣ部１０７から入力した送信データを符号化してインタリーブ部１０９へ出力する。
【００５６】
インタリーブ部１０９は、符号化部１０８から入力した送信データを所定のパターンにて並び替えてレートマッチング部１１０へ出力する。
【００５７】
レートマッチング部１１０は、インタリーブ部１０９から入力した送信データが１フレームに収まるようにデータをビット単位にて間引く処理またはデータをビット単位にて加える処理を行ってＨＡＲＱ制御部１１１へ出力する。
【００５８】
ＨＡＲＱ部１１１は、ＭＡＣ部１０７の制御によりＭＡＣ部１０７が選択したＴＦＣの送信レートを超えない範囲内にて、レートマッチング部１１０から入力した送信データからパリティビットデータとして送る部分を選択して合成部１１６へ出力する。
【００５９】
符号化部１１２は、ＭＡＣ部１０７から入力した送信データを符号化してインタリーブ部１１３へ出力する。
【００６０】
インタリーブ部１１３は、符号化部１１２から入力した送信データを所定のパターンにて並び替えてレートマッチング部１１４へ出力する。
【００６１】
レートマッチング部１１４は、インタリーブ部１１３から入力した送信データが１フレームに収まるようにデータをビット単位にて間引く処理またはデータを同一送信回内での再送（レペティション）を必要な分だけ行って１フレームが埋まるようにして合成部１１６へ出力する。なお、同一送信回内での再送を再送（レペティション）と記載し、ＮＡＣＫをうけてから異なった送信回での再送は、リトランスミッションともいわれるが、ここでは再送とただ記載されている場合はリトランスミッションを指す。レペティションの場合は、再送（レペティション）と記載する。
【００６２】
ＴＦＣ情報生成部１１５は、ＭＡＣ部１０７から入力したＴＦＣ情報を送信データに含めるための処理を行って合成部１１６へ出力する。
【００６３】
合成部１１６は、ＨＡＲＱ制御部１１１から入力した再送時の送信データとレートマッチング部１１４から入力した初回の送信時の送信データを合成するとともに、ＴＦＣ情報生成部１１５から入力したＴＦＣ情報を含めて送信データとして変調部１１７へ出力する。
【００６４】
変調部１１７は、合成部１１６から入力した送信データを変調して拡散部１１８へ出力する。
【００６５】
拡散部１１８は、変調部１１７から入力した送信データを所定の拡散符号にて拡散処理して送信ＲＦ部１１９へ出力する。
【００６６】
送信ＲＦ部１１９は、拡散部１１８から入力した送信データをベースバンド周波数から無線周波数にアップコンバートするとともに所定の電力になるまで増幅して切替部１０２へ出力する。また、送信ＲＦ部１１９は、増幅した後の送信データの送信電力の情報である送信電力情報をＭＡＣ部１０７へ出力する。
【００６７】
次に、基地局装置２００の構成について図２を用いて説明する。図２は、基地局装置２００の構成を示すブロック図である。
【００６８】
アンテナ２０１は、通信端末装置１００から送信されたデータを受信して受信ＲＦ部２０２へ出力する。
【００６９】
受信ＲＦ部２０２は、アンテナ２０１から入力した受信データを無線周波数からベースバンド周波数にダウンコンバートして逆拡散部２０３へ出力する。
【００７０】
逆拡散部２０３は、受信ＲＦ部２０２から入力した受信データを拡散処理の際に用いた拡散符号と同一の拡散符号にて逆拡散処理してレイク受信部２０４へ出力する。
【００７１】
レイク受信部２０４は、逆拡散部２０３から入力した受信データをレイク合成して分離部２０６へ出力する。
【００７２】
ＴＦＣ判断部２０５は、基地局装置２００の上位局である例えば制御局より指示された、チャネル毎に複数の送信レートを設定するとともに設定した送信レートをチャネル毎に一つ選択して各々組み合わせた送信レートの情報であるチャネル分離用情報を保存したテーブルを記憶している。そして、ＴＦＣ判断部２０５は、レイク受信部２０４から分離部２０６に入力した受信データに含まれるＴＦＣ情報に即した各チャネルの送信レートの情報を分離部２０６へ出力する。なお、ＴＦＣ選択用情報とチャネル分離用情報は同一の情報である。
【００７３】
チャネル分離手段である分離部２０６は、レイク受信部２０４から入力した受信データに含まれるＴＦＣ情報を抽出して、抽出したＴＦＣ情報を用いてＴＦＣ判断部２０５に記憶されているチャネル分離用情報を参照して各チャネルの送信レートを選択する。そして、分離部２０６は、選択した各チャネルの送信レートに応じて受信データを各チャネルの受信データに分離する。そして、分離部２０６は、ＨＡＲＱの設定されていないチャネルの場合には、分離した受信データをレートデマッチング部２１２へ出力し、ＨＡＲＱの設定されいるチャネルの場合には、分離した受信データをレートデマッチング部２０７へ出力する。
【００７４】
レートデマッチング部２０７は、分離部２０６から入力した受信データに対して送信時に間引かれたデータに対しては、中間値に相当する値を加える処理を行い、送信時に同一再送回内での再送（レペティション）されたデータに対しては再送データ間の合成を行うことでデータ数を調整してからデインタリーブ部２０８へ出力する。
【００７５】
デインタリーブ部２０８は、レートデマッチング部２０７から入力した受信データを最初の配列に戻すように並び替えて記憶部２０９及び加算器２１０へ出力する。
【００７６】
記憶部２０９は、デインタリーブ部２０８から入力した受信データを記憶する。そして、記憶部２０９は、誤り訂正復号部２１１から受信データに誤りが生じているために再送要求した旨の情報が入力した場合には、記憶している誤りが生じた受信データを所定のタイミングにて加算器２１０へ出力する。また、記憶部２０９は、誤り訂正復号部２１１から再送要求した旨の情報が入力しない場合には加算器２１０へは出力しない。
【００７７】
加算器２１０は、デインタリーブ部２０８から入力した再送データである受信データと記憶部２１０から入力した受信データとを加算して誤り訂正復号部２１１へ出力する。
【００７８】
誤り訂正復号部２１１は、加算器２１０から入力した受信データに対して誤り訂正するとともに復号して受信データとして出力する。
【００７９】
レートデマッチング部２１２は、分離部２０６から入力した受信データに対して送信時に間引いたデータを再び加える処理または送信時に加えてデータを間引く処理を行ってデインタリーブ部２１３へ出力する。
【００８０】
デインタリーブ部２１３は、レートデマッチング部２１２から入力した受信データを最初の配列に戻すように並び替えて誤り訂正復号部２１４へ出力する。
【００８１】
誤り訂正復号部２１４は、デインタリーブ部２１３から入力した受信データを誤り訂正して復号して受信データとして出力する。
【００８２】
次に、ＭＡＣ部１０７の構成の詳細について図３を用いて説明する。図３は、ＭＡＣ部１０７の構成を示すブロック図である。
【００８３】
判断部３０１は、送信ＲＦ部１１９から入力した送信電力情報を用いて記憶部３０２に記憶されているＴＦＣ選択用情報を参照することにより、許容最大送信電力以下の送信電力でかつ送信電力情報の所定の送信電力にて送信できる各チャネルの送信レートの組み合わせのＴＦＣを検索する。そして、判断部３０１は、検索した結果、許容最大送信電力以下の送信電力でかつ所定の送信電力にて送信できる各チャネルの送信レートの組み合わせのＴＦＣを選択して、選択したＴＦＣの情報をＴＦＣ選択部３０３へ出力する。なお、許容最大送信電力は、判断部３０１があらかじめ記憶している。また、判断部３０１が選択するＴＦＣは１つまたは複数の場合があり得る。
【００８４】
記憶部３０２は、あらかじめ基地局装置２００から送信されてＲＲＣ部１０６にて抽出された後にＲＲＣ部１０６から入力したＴＦＣ選択用情報を記憶し、判断部３０１の検索により許容最大送信電力以下の送信電力でかつ所定の送信電力にて送信できる各チャネルの送信レートの組み合わせのＴＦＣの情報を判断部３０１へ出力する。
【００８５】
ＴＦＣ選択部３０３は、選択したＴＦＣの送信レートにて各チャネルの送信データが送信されるようにして符号化部１０８または符号化部１１２へ出力するとともに、送信完了待ちデータ保持部３０４へ出力する。また、ＴＦＣ選択部３０３は、判断部３０１から入力したＴＦＣの情報の中から、ＲＲＣ部１０６から入力した送信レート選択用情報の優先順位に基づいて１つのＴＦＣを選択する。この時、ＴＦＣ選択部３０３は、復調部１０５より全てのチャネルについてＡｃｋ信号が入力した場合には再送データはないものと判断し、復調部１０５よりＮａｃｋ信号が入力したチャネルについては再送データを送信する必要があるものとしてＴＦＣの選択を行う。さらに、ＴＦＣ選択部３０３は、ＴＦＣ情報をＴＦＣ情報生成部１１５へ出力するとともに、選択したＴＦＣの送信レートを超えないようにＨＡＲＱ制御部１１１を制御する。
【００８６】
送信完了待ちデータ保持部３０４は、ＴＦＣ選択部３０３から入力した送信データを一時的に保持し、復調部１０５からＮａｃｋ信号が入力した場合には保持している送信データをＴＦＣ選択部３０３へ出力し、復調部１０５からＡｃｋ信号が入力した場合には保持している送信データを廃棄する。
【００８７】
次に、通信端末装置１００及び基地局装置２００の動作について説明する。図４は、通信端末装置１００及び基地局装置２００を用いた通信システム４００を示す図である。なお、図４において、通信端末装置１００は図１と同一構成を有し、基地局装置２００は図２と同一構成を有する。
【００８８】
最初に、制御局４０１は、例えば図５に示すＴＦＣ選択用情報及び図６に示す送信レート選択用情報を生成して基地局装置２００へ伝送する。ここで、例えばＴｒＣＨ１の送信データは音声データであり、ＴｒＣＨ２の送信データはストリーミングタイプのパケット通信データであり、ＴｒＣＨ３の送信データはＷＷＷアクセスタイプのパケット通信データである。これより、許容される遅延時間が短い送信データを送信するチャネルほど優先順位が高いものとして、ＴｒＣＨ１の音声データが常に優先して送られることとなり、ＴｒＣＨ２のストリーミングタイプのパケット通信データがＴｒＣＨ３のＷＷＷアクセスタイプのパケット通信データより優先して送られる。さらに、ＴｒＣＨ２の送信データに関しては、初回の送信時に比べて再送時の優先順位が高くなっているため、誤りがあったデータが優先的に送られるようになり、ＱｏＳの管理ができるようになっている。またここではＴｒＣＨ１である音声データは、誤り率に対する要求が緩いが，特に遅延時間に対する要求が厳しいのでＨＡＲＱは設定されていない。またＴｒＣＨ２であるストリーミングタイプのパケット通信データは、誤り率に対する要求は緩く、遅延時間に対する要求はＷＷＷアクセスよりも厳しくて音声よりは緩い。ＴｒＣＨ３であるＷＷＷアクセスタイプは誤り率に対する要求は厳しく、遅延時間に対する要求は最も緩い。これらを勘案してＴｒＣＨ２およびＴｒＣＨ３に対してはＨＡＲＱが設定されている。ここでは３つのＴｒＣＨの例を記載するが３チャネルに制限されるものではない。また、図６の送信レート選択用情報は、初回の送信時と再送時において優先順位を設ける場合であるが、再送が繰り返し行われる場合には、再送回数毎に異なる優先順位を設けることも可能である。
【００８９】
次に、ＴＦＣ選択用情報及び送信レート選択用情報を受け取った基地局装置２００は、ＴＦＣ選択用情報をチャネル分離用情報としてＴＦＣ判断部２０５に記憶するとともに、ＴＦＣ選択用情報及び送信レート選択用情報を通信端末装置１００へ送信する。次に、ＴＦＣ選択用情報及び送信レート選択用情報を受信した通信端末装置１００は、ＲＲＣ部１０６にてＴＦＣ選択用情報及び送信レート選択用情報を抽出して、ＭＡＣ部１０７にてＴＦＣ選択用情報を記憶する。ここまでの処理は通信を開始する前に行う。
【００９０】
次に、通信端末装置１００は、ＭＡＣ部１０７にてＴＦＣ選択用情報及び送信電力情報より、許容最大送信電力以下の送信電力でかつ送信電力情報の所定の送信電力にて送信できる送信レートの組み合わせのＴＦＣを選択する。例えば、全てのチャネルでデータ送信を行いたい旨の送信データ量情報が入力し、いずれのチャネルにおいても再送データがない場合において、許容最大送信電力以下の送信電力でかつ送信電力情報の所定の送信電力にて送信できる各チャネルの送信レートとして、ＴｒＣＨ１〜ＴｒＣＨ３の合計ビット数が５００ビットである場合、ＭＡＣ部１０７は、ＴｒＣＨ１〜ＴｒＣＨ３の合計ビット数が５００ビットを超えないＴＦＣとしてＴＦＣ＝２、ＴＦＣ＝３、ＴＦＣ＝４、ＴＦＣ＝６及びＴＦＣ＝７を選択する。この結果、図７に示すように、ＭＡＣ部１０７は、ＴＦＣ＝１及びＴＦＣ＝５は送信禁止を示す「Blocked state」とするとともに、ＴＦＣ＝２〜ＴＦＣ＝４、ＴＦＣ＝６及びＴＦＣ＝７は送信許可を示す「Supported state」として、各ＴＦＣを図８に示す状態にする。このように、通信端末装置１００は、通信端末装置１００のスロット毎の送信電力の情報を用いて、ＴＦＣ毎に継続的にElimination、Blocking、Recoveryの評価基準を適用して、「Supported state」、「Excess-power state」及び「Blocked state」のステート遷移を行う。
【００９１】
具体的には、通信端末装置１００が例えば３０スロット中１５スロットにて、選択したＴＦＣを送信した場合に、その送信パワが許容される最大送信電力を超えるようならばElimination基準が満たされたものと判断してExcess-power stateになる。また、Excess-power stateになってからは、一定時間経過後にBlocked stateになる。Blocked stateへの遷移に要する長さは、上位レイヤでのビットレートの変更に要する時間、インタリーブ長及びレイヤ１から上位への信号伝達遅延を考慮して決定される。Blocked stateからは、所定のＴＦＣを送信した場合に送信電力が許容される最大送信電力を連続して３０スロット期間において超えない場合にはRecovery基準が満たされたものと判断してSupported stateに遷移する。
【００９２】
次に、ＭＡＣ部１０７は、図６の送信レート選択用情報よりＴｒＣＨ１の優先順位が最も高いので、選択したＴＦＣ＝２、ＴＦＣ＝３、ＴＦＣ＝４、ＴＦＣ＝６及びＴＦＣ＝７の中からＴｒＣＨ１のビット数が０ビットでないＴＦＣ＝２、ＴＦＣ＝３及びＴＦＣ＝４を選択する。次に、ＭＡＣ部１０７は、図６の送信レート選択用情報よりＴｒＣＨ３の送信データよりもＴｒＣＨ２の送信データの方が優先順位が高いので、選択したＴＦＣ＝２、ＴＦＣ＝３及びＴＦＣ＝４の中からＴＦＣ＝２を選択する。これより、ＭＡＣ部１０７は、ＴｒＣＨ１の送信データとして１００ビットを符号化部１１２に出力し、ＴｒＣＨ２の送信データとして２００ビットを符号化部１０８へ出力する。合成部１１６はＴｒＣＨ１の送信データおよびＴｒＣＨ２の送信データを合成する。このときＴｒＣＨ３の送信データは０となる．
【００９３】
次に、全てのチャネルでデータ送信を行いたい送信データ量情報が入力し、ＴｒＣＨ２に再送データが残っているとともにＴｒＣＨ１及びＴｒＣＨ３には再送データがない場合において、許容最大送信電力以下の送信電力でかつ送信電力情報の所定の送信電力にて送信できる各チャネルの送信レートとして、ＴｒＣＨ１〜ＴｒＣＨ３の合計ビット数が５００ビットである場合、上記と同様の順番にてＴＦＣ＝２が選択されるが、ＴｒＣＨ２については再送データが送られる。これにより、ＭＡＣ部１０７は、ＴｒＣＨ１の送信データとして１００ビットを符号化部１０８へ出力し、ＴｒＣＨ２の再送データとして２００ビットを符号化部１０８へ出力し、合成部１１６はＴｒＣｈ１の送信データ及びＴｒＣＨ２の再送データを合成する。
【００９４】
この時、ＴｒＣＨ２では誤り訂正と再送とを合わせて行う方式であるＨＡＲＱにより再送データが送信される。ＨＡＲＱとしては、誤ったデータは受信側で廃棄されるとともに再送データが独立して復号され、最初のデータと再送データとの間では合成処理は行われないタイプ１と呼ばれる方式、誤ったデータは受信側で廃棄されずに再送データの追加の冗長ビットと合成して復号されるタイプ２と呼ばれる方式、またはタイプ２と同じ方式であるが、再送データ単体でも復号ができるタイプ３と呼ばれる方式の何れかの方式を採用することが可能である。また、これ以外のＨＡＲＱの分類方法として、初回送信及び再送において同じデータを送り、受信側にて初回データと再送データとの合成を行ってから誤り訂正復号するChase combiningと呼ばれる方式、初回送信と再送とにおいて送るパリティビットデータの一部または全部が異なるようにし、受信側にてパリティビットデータの異なる部分は冗長度が高いものとするとともにパリティビットデータの同一の部分は合成を行って誤り訂正復号するIncremental redundancyと呼ばれる方式のどちらかを採用できる。Incremental redundancyの方式の中には再送時にはシステマティックビットデータを送らない方式とシステマティックビットを送る方式があるが、そのどちらにも適用が可能である。
【００９５】
次に、ＴｒＣＨ３の送信データを送信したい送信データ量情報が入力し、ＴｒＣＨ１及びＴｒＣＨ２の送信データを送信した後に再送要求がないとともにＴｒＣＨ３の再送データがない場合において、許容最大送信電力以下の送信電力でかつ送信電力情報の所定の送信電力にて送信できる各チャネルの送信レートとして、ＴｒＣＨ１〜ＴｒＣＨ３の合計ビット数が４００ビットである場合、ＭＡＣ部１０７は、ＴｒＣＨ１〜ＴｒＣＨ３の合計ビット数が４００ビットを超えないＴＦＣとしてＴＦＣ＝２、ＴＦＣ＝４、ＴＦＣ＝６及びＴＦＣ＝７を選択する。この結果、図７に示すように、ＭＡＣ部１０７は、ＴＦＣ＝３を「Supported state」から送信禁止直前を示す「Excess-power state」に遷移させ（ステップＳＴ７０１）、「Excess-power state」から「Blocked state」に遷移させて（ステップＳＴ７０２）、ＴＦＣ＝１、ＴＦＣ＝３及びＴＦＣ＝５は送信禁止を示す「Blocked state」にするとともに、ＴＦＣ＝２、ＴＦＣ＝４、ＴＦＣ＝６及びＴＦＣ＝７は送信許可を示す「Supported state」にして、各ＴＦＣを図９に示す状態にする。次に、ＭＡＣ部１０７は、選択したＴＦＣ＝２、ＴＦＣ＝４、ＴＦＣ＝６及びＴＦＣ＝７の中からＴｒＣＨ３のビット数が最も多いＴＦＣ＝６を選択する。これより、ＭＡＣ部１０７は、ＴｒＣＨ３の送信データとして４００ビットを符号化部１１２へ出力する。
【００９６】
ＨＡＲＱの使われ方としては大きく分けて２通りがある。一つ目の使われ方は、初回送信の目標ＢＬＥＲ(block error rate)を低めにする方法である。この方法は、基本的に初回送信でデータが通るようにするものである。しかし誤った場合においてもすぐに再送データを送る。この再送データを送る判断をレイヤ１等の低いレイヤで判断することで再送までの時間を短縮することができる。これにより、遅延を短縮することができ、遅延に敏感なタイプのアプリケーションでのゲインを得ることができる。もう一つの使われ方は、初回送信の目標ＢＬＥＲを高めにする方法である。この方法は、複数回をかけてデータが通るようにするものである。初回送信で目標ＢＬＥＲを高めにすることで移動機送信パワまたは送信データの符号化率を高くすることができる。このような場合においても、ある割合でデータの通信が成功するものであり、Ａｃｋ信号を送信側に対して返すことで移動機送信パワを減らすことができる。これにより、電波利用効率を改善することができるとともに、符号化率を高くした場合にはビットレートを向上させることができる。このように、初回の送信時と再送時における優先順位、及びチャネル毎の優先順位を可変にて設定するとともに、目標ＢＬＥＲを調整することでさらに効率の良いシステム運営を行うことができる。
【００９７】
上記の通信システム４００及び通信端末装置１００は、通信端末装置が送信側になるＵＭＴＳシステム（ＷＣＤＭＡシステム）の拡張として考えられているＥＵＤＴＣＨ（拡張上りＤＴＣＨ方式）またはＨＳＵＰＡ（High Speed Uplink Packet Access；上り高速伝送方式）へ適用可能である。
【００９８】
このように、本実施の形態によれば、初回の送信時と再送時または再送回数に応じて異なる優先順位に基づいて送信データの送信レートを設定してＨＡＲＱ方式にて再送制御を行うので、伝送遅延を小さくすることができるとともに効率の良いシステム運営を行うことができる。また、本実施の形態によれば、チャネル毎の優先順位に基づいてスケジューリングを行ってＨＡＲＱ方式にて再送制御を行うので、さらに効率の良いシステム運営を行うことができる。また、本実施の形態によれば、例えば音声データのように許容される遅延時間が短いデータの場合には、送信における優先順位を高くするので、音声データ以外のパケット通信データ等の再送を不用意に繰り返すことにより、再送データの送信を画一的に優先することに起因する受信側にて音声が途切れてしまう状態を防ぐことができる。また、例えばＦＴＰ等の許容される遅延時間が長い送信データを送信するチャネルは、システムに余裕のある時間をつかって転送することができるのでシステムとしての効率を高くすることができる。また、初回の送信時と再送時との２つのケースに分けて優先順位を設定する場合には、通信端末装置が送信レートを設定する際の優先順位を判断する処理を簡素化することができる。また、再送毎に異なる送信レートを設定した場合には、再送方式を適用するシステム全体で効率の良い運営を行うことができる。
【００９９】
なお、上記実施の形態において、ＴｒＣＨ１の送信データを音声データとし、ＴｒＣＨ２の送信データをストリーミングタイプのパケット通信データとするとともにＴｒＣＨ３の送信データはＷＷＷアクセスタイプのパケット通信データとしたが、これに限らず、任意の種別のデータに対して必要に応じて優先順位を設定することができる。また、本実施の形態において、ＣＤＭＡシステムに適用することとしたが、これに限らず、ＣＤＭＡシステム以外の任意のシステムにも適用可能である。また、本実施の形態においては、再送方式としてＨＡＲＱを用いることとしたが、これに限らず、ＨＡＲＱ以外の任意の再送方式を適用することが可能である。また、本実施の形態において、チャネル毎の優先順位の情報、及び初回の送信時または再送時における優先順位の情報を１つの送信レート選択用情報として記憶することとしたが、これに限らず、チャネル毎の優先順位の情報と、初回の送信時または再送時における優先順位の情報とに分けて、各々異なる情報として記憶するようにしても良い。
【産業上の利用可能性】
【０１００】
本発明にかかる通信端末装置及び送信方法は、複数チャネルを伝送するシステムにおいて、伝送遅延を小さくするとともに効率の良いシステム運営を行う効果を有し、スケジューリングしてデータを送信するのに有用である。
【図面の簡単な説明】
【０１０１】
【図１】本発明の実施の形態に係る通信端末装置の構成を示すブロック図
【図２】本発明の実施の形態に係る基地局装置の構成を示すブロック図
【図３】本発明の実施の形態に係るＭＡＣ部の構成を示すブロック図
【図４】本発明の実施の形態に係る通信システムの構成を示す図
【図５】本発明の実施の形態に係るＴＦＣと各チャネルの送信レートとの関係を示す図
【図６】本発明の実施の形態に係る各チャネルの初回の送信時及び再送時と優先順位との関係を示す図
【図７】本発明の実施の形態に係る状態遷移を示す図
【図８】本発明の実施の形態に係る各ＴＦＣの状態を示す図
【図９】本発明の実施の形態に係る各ＴＦＣの状態を示す図
【符号の説明】
【０１０２】
１００  通信端末装置
１０６  ＲＲＣ部
１０７  ＭＡＣ部
１０８、１１２  符号化部
１０９、１１３  インタリーブ部
１１０、１１４  レートマッチング部
１１１  ＨＡＲＱ制御部
１１５  ＴＦＣ情報生成部
１１６  合成部
１１７  変調部
１１８  拡散部
１１９  送信ＲＦ部
【図１】
2005311882.tif 000003
【図２】
2005311882.tif 000004
【図３】
2005311882.tif 000005
【図４】
2005311882.tif 000006
【図５】
2005311882.tif 000007
【図６】
2005311882.tif 000008
【図７】
2005311882.tif 000009
【図８】
2005311882.tif 000010
【図９】
2005311882.tif 000011